(57)【要約】【課題】強度特性の向上・材料増加の抑制・製造の簡易化・コストアップの抑制・構造の複雑化回避・蓋閉じ操作を含めた組み立て操作の容易性・蓋閉じ状態を含めた組み立て状態の安定性などを満足させることのできる厚紙製包装用箱を提供する。【解決手段】プラップ１５Ｃの被押さえ部Ｃ２を押さえ込むためのフラップ１５Ａの押さえ部Ａ１は傾斜縁１７を有する。プラップ１５Ａの押さえ部Ａ１を介して押さえ込まれるフラップ１５Ｃの被押さえ部Ｃ２にはロック溝２１と一対の挟み片２２・２３がある。上面開口部１３を覆い閉じ状態にしたときのプラップ１５Ａの傾斜縁１７とフラップ１５Ｃのロック溝２１について、ロック溝２１が傾斜縁１７側を受け入れることによりプラップ１５Ａとフラップ１５Ｃとがロック状態になる。ロック溝２１内に受け入れられたフラップ傾斜縁１７側が両挟み片２２・２３で挟み込まれる。【選択図】図１
2019001488.tif 000002
【特許請求の範囲】
【請求項１】
四角形の上面開口部や四角形の下面開口部をもつ四角筒状の筒状胴体と、その筒状胴体の上面開口部を覆い閉じるための上蓋と、その筒状胴体の下面開口部を覆い閉じるための底蓋とを有するものであること、および、
前記上蓋用のフラップとして第１のフラップと第２のフラップと第３のフラップと第４のフラップとを備え、かつ、第１のフラップと第３のフラップとが前後一対をなし、第２のフラップと第４のフラップとが左右一対をなしていること、および、
前記第１と第３の両フラップが前記筒状胴体における前後両側壁の各上端部にそれぞれ一体化されてこの第１と第３の両フラップが前記筒状胴体の上面開口部側に向けて折り込み自在となっており、かつ、前記第２と第４の両フラップが前記筒状胴体における左右両側壁の各上端部にそれぞれ一体化されてこの第２と第４の両フラップが前記筒状胴体の上面開口部側に向けて折り込み自在となっていること、および、
前記四つのフラップの各一側端部が押さえ部になっており、かつ、前記四つのフラップの各他側端部が被押さえ部になっていること、および、
前記四つのフラップをそれぞれ前記筒状胴体の上面開口部側へ折り込んで当該上面開口部をその四つのフラップで覆い閉じ状態にしたときに、当該上面開口部の四隅領域でそれぞれ交差するフラップ相互の前記押さえ部と前記被押さえ部とが、押さえ部を上かつ被押さえ部を下にして互いに重なり合うものであること
を前提とする厚紙製包装用箱において、
前記四つのフラップのうちの二つのフラップであって、前記筒状胴体の上面開口部を覆い閉じ状態にしたときに前記上面開口部の一隅領域で押さえ部と被押さえ部とが交差状態で重なり合う二つのフラップについて、その一方を一方フラップとし、その他方を他方フラップとした場合、他方プラップの被押さえ部を押さえ込む一方フラップの押さえ部が、そのフラップ側縁に、一方フラップ基端部側から一方フラップ先端部側に向けて傾斜する傾斜縁を有しており、かつ、一方プラップの押さえ部を介して押さえ込まれる他方フラップの被押さえ部には、その被押さえ部領域にあって他方フラップ先端部側から他方フラップ基端部方向に向けて切り込まれたロック溝が形成されているとともに、他方フラップの被押さえ部におけるロック溝の両側部位が一対の挟み片になっていること、および、
前記筒状胴体の上面開口部を覆い閉じ状態にしたときの前記一方プラップの傾斜縁と前記他方フラップのロック溝について、他方フラップのロック溝が一方プラップのプラップ傾斜縁側を受け入れることにより一方プラップと他方フラップとがロック状態になるものであり、かつ、他方フラップのロック溝内に受け入れられた一方プラップのフラップ傾斜縁側が、他方フラップの被押さえ部にある一対の挟み片で挟み込まれるものであること
を特徴とする厚紙製包装用箱。
【請求項２】
四角形の上面開口部や四角形の下面開口部をもつ四角筒状の筒状胴体と、その筒状胴体の上面開口部を覆い閉じるための上蓋と、その筒状胴体の下面開口部を覆い閉じるための底蓋とを有するものであること、および、
前記上蓋用のフラップとして第１のフラップと第２のフラップと第３のフラップと第４のフラップとを備え、かつ、第１のフラップと第３のフラップとが前後一対をなし、第２のフラップと第４のフラップとが左右一対をなしていること、および、
前記第１と第３の両フラップが前記筒状胴体における前後両側壁の各上端部にそれぞれ一体化されてこの第１と第３の両フラップが前記筒状胴体の上面開口部側に向けて折り込み自在となっており、かつ、前記第２と第４の両フラップが前記筒状胴体における左右両側壁の各上端部にそれぞれ一体化されてこの第２と第４の両フラップが前記筒状胴体の上面開口部側に向けて折り込み自在となっていること、および、
前記四つのフラップの各一側端部が押さえ部になっており、かつ、前記四つのフラップの各他側端部が被押さえ部になっていること、および、
前記四つのフラップをそれぞれ前記筒状胴体の上面開口部側へ折り込んで当該上面開口部をその四つのフラップで覆い閉じ状態にしたときに、当該上面開口部の四隅内でそれぞれ交差するフラップ相互の前記押さえ部と前記被押さえ部とが、押さえ部を上かつ被押さえ部を下にして互いに重なり合うものであること
を前提とする厚紙製包装用箱において、
前記四つのフラップのうちの二つのフラップであって、前記筒状胴体の上面開口部を覆い閉じ状態にしたときに前記上面開口部の一隅領域で押さえ部と被押さえ部とが交差状態で重なり合う二つのフラップについて、その一方を一方フラップとし、その他方を他方フラップとした場合、一方プラップの押さえ部で押さえ込まれる他方フラップの被押さえ部が、そのフラップ側縁に、他方フラップ基端部側から他方フラップ先端部側に向けて傾斜する傾斜縁を有しており、かつ、他方プラップの被押さえ部を押さえ込む一方フラップの押さえ部には、その押さえ部領域にあって一方フラップ先端部側から一方フラップ基端部方向に向けて切り込まれたロック溝が形成されているとともに、一方フラップの押さえ部におけるロック溝の両側部位が一対の挟み片になっていること、および、
前記筒状胴体の上面開口部を覆い閉じ状態にしたときの前記一方プラップのロック溝と前記他方フラップの傾斜縁について、一方フラップのロック溝が他方プラップのフラップ傾斜縁側を受け入れることにより一方プラップと他方フラップとがロック状態になるものであり、かつ、一方フラップのロック溝内に受け入れられた他方プラップのフラップ傾斜縁側が、一方フラップの押さえ部にある一対の挟み片で挟み込まれるものであること
を特徴とする厚紙製包装用箱。
【請求項３】
前記傾斜縁をフラップ側縁に有する上蓋用フラップが複数あるとともに、前記ロック溝および一対の前記挟み片を有する上蓋用フラップが複数あり、かつ、前記傾斜縁を有する上蓋用フラップと、前記ロック溝および一対の前記挟み片を有する上蓋用フラップとが、それぞれロック状態になるものである請求項１または２に記載された厚紙製包装用箱。
【請求項４】
前記ロック片の先端部側にある角部が丸みを帯びたものとなっており、かつ、前記ロック溝がその入口側に広い導入部を有している請求項１ないし３のいずれかに記載された厚紙製包装用箱。
【請求項５】
前記挟み片がその先端部側へ向かうにしたがい次第に薄くなっている請求項１ないし４のいずれかに記載された厚紙製包装用箱。
【請求項６】
フラップ面について、前記挟み片が重なる部位の面が凹んでいる請求項１ないし４のいずれかに記載された厚紙製包装用箱。
【発明の詳細な説明】
【技術分野】
【０００１】
本発明は段ボール紙や板紙（ボール紙）のような厚紙材料からなる折り畳み式の包装用箱に関し、とくに濡れ耐性・耐荷重性・耐型崩れ特性などについて、コストアップを抑制しつつこれらの特性を改善した厚紙製包装用箱に関する。
【背景技術】
【０００２】
野菜など農産品を出荷する際の包装手段として、段ボール紙で代表される厚紙製の包装用箱が広く採用されている。その採用理由は、応分の強度を有するにもかかわらず低コストであること、ストック時に折り畳み状態にすることで省スペース収納が実現すること、製作が簡単であること、使用の際の組み立てが容易であること、リユースやリサイクルが可能であることなど、多くの利点を有するからである。
【０００３】
従来の野菜包装用段ボール箱で典型的なものは、上下両面が開口された角筒状の筒状胴体と、筒状胴体の上面開口部周縁に折り畳み自在に一体形成された四枚の上蓋用フラップと、筒状胴体の下面開口部周縁に折り畳み自在に一体形成された四枚の底蓋用フラップとを備えている。かかる段ボール箱の場合、上蓋用の各フラップを数回となく開閉する必要から、それをステープルやテープで密閉せずに、「たとう式」などと称される重ね折り状態で組み止めるようにしている。すなわち、各上蓋用フラップの被押さえ部（一側部）をそれぞれ隣接する各上蓋用フラップの一側部下に差し込むようにしている。このフラップ操作は、たとえば、時計回り方向に順次行われる。一方、四枚の底蓋用フラップについては、上記と同様にして各フラップを閉じ込んだりするほか、蓋差し込み式と称する方式で各フラップを閉じ込んだりする。
【０００４】
上蓋用フラップの蓋閉じ状態において上記ステープルレス方式を採用した場合、被包装物を傷つける原因（金属製のステープル）が箱にないから、被包装物（箱詰め野菜など）が傷つくことはないし、箱自体がステープルで傷つけられることもない。上記テープレス方式の場合も、テープ使用時にみられるフラップ損傷がなく、箱の長期使用が可能になるので望ましい。しかしながら一方では、ステープルレスやテープレスために、蓋閉じ状態を安定に保持するのが困難になる。蓋閉じ状態の安定性が十分でないときは、また、箱詰め野菜（長ネギ）からの滲出液（ヌタ）で箱が湿潤したりすると、それが原因で箱の型崩れが生じたりする。
【０００５】
下記の特許文献１に開示された段ボール箱は、四枚ある上蓋用フラップのうち、その一部に相対的な掛け止め機能を付加することで、各フラップ相互の閉鎖状態を安定に保持するようにしている。上蓋用の各フラップが安定閉鎖状態を呈するこの段ボール箱の場合、上蓋全体が強度面でしっかりしたものになる。したがって、箱詰め野菜からの滲出液で箱が湿潤したとしても、それが原因で直ちに型崩れをきたすようなことはなく、箱の積み重ねも可能になる。実情に即していうと、特許文献１の段ボール箱は、この種の湿潤に対しても、応分の包装機能を発揮して出荷・搬送・納品を可能にしている。
【０００６】
しかしながら、特許文献１の段ボール箱にも改善すべき課題が残されている。それは掛止用の両フラップに形成される「掛止片」が大きくて「切り込み」が長いものであるために、掛止構造が大掛かりなることである。ちなみに、大きな掛止片は材料ロスをともなうことが多く、長い切り込みの場合はフラップの強度低下を防止するための技術配慮が要求される。さらに、上蓋用フラップに対し、この種の掛止構造を二箇所以上に設けてフラップ閉鎖状態をより安定化させるというとき、大きな掛止片や長い切り込みに依存するものでは、その実現が困難になる難点もある。
【先行技術文献】
【特許文献】
【０００７】
【特許文献１】特開２０１１−０９８７７５号公報
【発明の概要】
【発明が解決しようとする課題】
【０００８】
本発明はこのような技術上の課題を解決するためになされたものであり、その目的とするところは、強度特性の向上・材料増加の抑制・製造の簡易化・コストアップの抑制・構造の複雑化回避・蓋閉じ操作を含めた組み立て操作の容易性・蓋閉じ状態を含めた組み立て状態の安定性などについて、これらを満足させることのできる厚紙製包装用箱を提供することにある。
【課題を解決するための手段】
【０００９】
本発明に係る厚紙製包装用箱は、所期の目的を達成するための課題解決手段として、下記複数の技術内容、すなわち、下記の第１項ないし第６項に記載された技術内容を特徴とするものである。
［第１項］
四角形の上面開口部や四角形の下面開口部をもつ四角筒状の筒状胴体と、その筒状胴体の上面開口部を覆い閉じるための上蓋と、その筒状胴体の下面開口部を覆い閉じるための底蓋とを有するものであること、および、
前記上蓋用のフラップとして第１のフラップと第２のフラップと第３のフラップと第４のフラップとを備え、かつ、第１のフラップと第３のフラップとが前後一対をなし、第２のフラップと第４のフラップとが左右一対をなしていること、および、
前記第１と第３の両フラップが前記筒状胴体における前後両側壁の各上端部にそれぞれ一体化されてこの第１と第３の両フラップが前記筒状胴体の上面開口部側に向けて折り込み自在となっており、かつ、前記第２と第４の両フラップが前記筒状胴体における左右両側壁の各上端部にそれぞれ一体化されてこの第２と第４の両フラップが前記筒状胴体の上面開口部側に向けて折り込み自在となっていること、および、
前記四つのフラップの各一側端部が押さえ部になっており、かつ、前記四つのフラップの各他側端部が被押さえ部になっていること、および、
前記四つのフラップをそれぞれ前記筒状胴体の上面開口部側へ折り込んで当該上面開口部をその四つのフラップで覆い閉じ状態にしたときに、当該上面開口部の四隅領域でそれぞれ交差するフラップ相互の前記押さえ部と前記被押さえ部とが、押さえ部を上かつ被押さえ部を下にして互いに重なり合うものであること
を前提とする厚紙製包装用箱において、
前記四つのフラップのうちの二つのフラップであって、前記筒状胴体の上面開口部を覆い閉じ状態にしたときに前記上面開口部の一隅領域で押さえ部と被押さえ部とが交差状態で重なり合う二つのフラップについて、その一方を一方フラップとし、その他方を他方フラップとした場合、他方プラップの被押さえ部を押さえ込む一方フラップの押さえ部が、そのフラップ側縁に、一方フラップ基端部側から一方フラップ先端部側に向けて傾斜する傾斜縁を有しており、かつ、一方プラップの押さえ部を介して押さえ込まれる他方フラップの被押さえ部には、その被押さえ部領域にあって他方フラップ先端部側から他方フラップ基端部方向に向けて切り込まれたロック溝が形成されているとともに、他方フラップの被押さえ部におけるロック溝の両側部位が一対の挟み片になっていること、および、
前記筒状胴体の上面開口部を覆い閉じ状態にしたときの前記一方プラップの傾斜縁と前記他方フラップのロック溝について、他方フラップのロック溝が一方プラップのフラップ傾斜縁側を受け入れることにより一方プラップと他方フラップとがロック状態になるものであり、かつ、他方フラップのロック溝内に受け入れられた一方プラップのフラップ傾斜縁側が、他方フラップの被押さえ部にある一対の挟み片で挟み込まれるものであること
を特徴とする厚紙製包装用箱。
［第２項］
四角形の上面開口部や四角形の下面開口部をもつ四角筒状の筒状胴体と、その筒状胴体の上面開口部を覆い閉じるための上蓋と、その筒状胴体の下面開口部を覆い閉じるための底蓋とを有するものであること、および、
前記上蓋用のフラップとして第１のフラップと第２のフラップと第３のフラップと第４のフラップとを備え、かつ、第１のフラップと第３のフラップとが前後一対をなし、第２のフラップと第４のフラップとが左右一対をなしていること、および、
前記第１と第３の両フラップが前記筒状胴体における前後両側壁の各上端部にそれぞれ一体化されてこの第１と第３の両フラップが前記筒状胴体の上面開口部側に向けて折り込み自在となっており、かつ、前記第２と第４の両フラップが前記筒状胴体における左右両側壁の各上端部にそれぞれ一体化されてこの第２と第４の両フラップが前記筒状胴体の上面開口部側に向けて折り込み自在となっていること、および、
前記四つのフラップの各一側端部が押さえ部になっており、かつ、前記四つのフラップの各他側端部が被押さえ部になっていること、および、
前記四つのフラップをそれぞれ前記筒状胴体の上面開口部側へ折り込んで当該上面開口部をその四つのフラップで覆い閉じ状態にしたときに、当該上面開口部の四隅内でそれぞれ交差するフラップ相互の前記押さえ部と前記被押さえ部とが、押さえ部を上かつ被押さえ部を下にして互いに重なり合うものであること
を前提とする厚紙製包装用箱において、
前記四つのフラップのうちの二つのフラップであって、前記筒状胴体の上面開口部を覆い閉じ状態にしたときに前記上面開口部の一隅領域で押さえ部と被押さえ部とが交差状態で重なり合う二つのフラップについて、その一方を一方フラップとし、その他方を他方フラップとした場合、一方プラップの押さえ部で押さえ込まれる他方フラップの被押さえ部が、そのフラップ側縁に、他方フラップ基端部側から他方フラップ先端部側に向けて傾斜する傾斜縁を有しており、かつ、他方プラップの被押さえ部を押さえ込む一方フラップの押さえ部には、その押さえ部領域にあって一方フラップ先端部側から一方フラップ基端部方向に向けて切り込まれたロック溝が形成されているとともに、一方フラップの押さえ部におけるロック溝の両側部位が一対の挟み片になっていること、および、
前記筒状胴体の上面開口部を覆い閉じ状態にしたときの前記一方プラップのロック溝と前記他方フラップの傾斜縁について、一方フラップのロック溝が他方プラップのフラップ傾斜縁側を受け入れることにより一方プラップと他方フラップとがロック状態になるものであり、かつ、一方フラップのロック溝内に受け入れられた他方プラップのプラップ傾斜縁側が、一方フラップの押さえ部にある一対の挟み片で挟み込まれるものであること
を特徴とする厚紙製包装用箱。
［第３項］
前記傾斜縁をフラップ側縁に有する上蓋用フラップが複数あるとともに、前記ロック溝および一対の前記挟み片を有する上蓋用フラップが複数あり、かつ、前記傾斜縁を有する上蓋用フラップと、前記ロック溝および一対の前記挟み片を有する上蓋用フラップとが、それぞれロック状態になるものである第１項または第２項に記載された厚紙製包装用箱。［第４項］
前記ロック片の先端部側にある角部が丸みを帯びたものとなっており、かつ、前記ロック溝がその入口側に広い導入部を有している第１項ないし第３項のいずれかに記載された厚紙製包装用箱。
［第５項］
前記挟み片がその先端部側へ向かうにしたがい次第に薄くなっている第１項ないし第４項のいずれかに記載された厚紙製包装用箱。
［第６項］
フラップ面について、前記挟み片が重なる部位の面が凹んでいる第１項ないし第５項のいずれかに記載された厚紙製包装用箱。
【発明の効果】
【００１０】
本発明に係る厚紙製包装用箱は下記の効果１〜効果１０を有するものである。なお、下記の効果において、一方プラップを他方プラップと読み替え、かつ、他方プラップを一方プラップと読み替えても、効果上の実質的意味合いは変わらない。
［効果１：上蓋閉鎖状態の安定性］
四つの各フラップで筒状胴体の上面開口部を覆い閉じ状態にしたときに相対ロックされる特定のフラップ、すなわち、フラップ側縁に傾斜縁のある一方プラップと、ロック溝を有する他方フラップとの場合、他方フラップのロック溝が他方プラップのフラップ傾斜縁を受け入れることでこの両プラップがロック状態となり、それによって、この両フラップの閉鎖状態が安定する。このように両フラップの閉鎖状態が安定するときは、また、それに依拠して上蓋（四つの各フラップ）も安定した閉鎖状態となる。
［効果２：上蓋閉鎖状態の安定性］
上記のごとく筒状胴体の上面開口部を覆い閉じて一方と他方の両プラップをロック状態にしたとき、他方プラップにある一対の挟み片は一方プラップのプラップ傾斜縁側をしっかりと挟み込むようになる。このような挟み込み状態のとき、当該両プラップのロック状態が自然に解除されるようなことはまずない。その理由の一つは、ロック溝内にあるプラップ傾斜縁の上下動を一対の挟み片が抑制するからであり、他の理由の一つは、一対の挟み片がその挟み保持力を発揮してプラップ傾斜縁がロック溝から外れるのを防止するからである。したがって、上蓋閉鎖状態でのプラップロック状態は、ロック安定性とかロック保持性とかが、きわめて高いものとなる。また、かかるロック箇所が複数箇所で生じるような実施形態の場合は、プラップロック状態の確実性がさらに増す。
［効果３：上蓋閉鎖状態における箱の強度向上］
上蓋用の各フラップで筒状胴体の上面開口部を覆い閉じるという上蓋閉鎖状態は、単なる覆い閉じでなく、一方プラップと他方プラップ（一組のフラップ）あるいは複数組のフラップがロック状態となる上蓋閉鎖状態であるから、そのロック状態によって、上蓋用フラップ全体が型崩れしがたい堅固な構造に組み上がり、それが上蓋閉鎖状態における箱の上部構造を強度面で安定させる。上蓋閉鎖状態において上部構造がこのような安定強度を発揮する包装用箱の場合、被包装物を詰め込んだ状態での積み重ね荷重に耐えることができるし、箱が少々湿気を帯びたり湿潤したりしても、それが原因で極度に変形するようなことがない。すなわち包装用箱は、箱詰め・搬入・搬出・輸送など、実用上の取り扱いに十分耐えるものとなる。
［効果４：上蓋用フラップの簡潔なロック構造］
上蓋用の各フラップの基本的な構成としては、一つのフラップに既述の傾斜縁があればよく、他のフラップなどは長方形や正方形のような四角形でよいのである。上蓋用の各フラップがこのような簡潔形状であることに加え、フラップ傾斜縁に対応して関連フラップに形成されるロック溝や一対の挟み片も、そのフラップ所定部に切り込みを入れるだけで一挙に形成できるという簡潔形状（構造）である。ゆえに、上蓋用フラップのロック構造が総じて簡潔なものとなる。もちろん、このロック構造の場合、既存の構成部材を一部有効活用して形成するものであるから、各別な構造部材を追加する必要がない。
［効果５：上蓋の強度低下防止］
上記ロック溝と上記挟み片（一対）とを主体にしたロック構造は、既述のように一部フラップの所定部に切り込みを入れるだけのものであり、しかも、その切り込みは、フラップ傾斜縁側を単純に受け入れるだけでよいから小さなサイズで足りる。すなわちロック構造は、わずかな切り込みを一部フラップに入れるだけのものであるから、小さなサイズで足りるのである。小サイズの切り込みであれば、上蓋の実用強度が低下するようなことはない。それよりも大きななメリットは、このロック構造で上蓋閉鎖状態を安定に確保したときに、その安定した蓋閉じによって、包装用箱が堅固な組み立て状態を呈するようになることである。かくて、上蓋の安定閉鎖状態や包装用箱の堅固な組み立て状態が得られるとき、軽度の湿潤や濡れがあるとしても、上蓋用フラップが極度に変形したり箱上部が型崩れしたりすることが起こりがたいものとなる。
［効果６：簡易なロック操作性］
上蓋用フラップによって包装用箱の上面開口部を覆い閉じるとき、たとえば従来方式にならい「たとう式」で各フラップを折り込めばよい。その際、フラップ傾斜縁やロック溝のあるロック自在な両フラップにおいて、フラップ傾斜縁側をロック溝内に嵌め込こんだ後、ロック溝のあるフラップを若干上下動させることで所定のロック状態になる。ロック操作はこのようにきわめて簡単である。
［効果７：簡易なロック解除操作性］
上述のロック状態にある上蓋を開けるときも、たとえば従来操作と同様に各フラップを順次開放方向へ引き上げるだけでよい。この際、ロック状態の両フラップは、一対ある挟み片の少なくとも一方が弾性変形し、それによってフラップ傾斜縁側がロック溝内から脱出するので、両フラップのロック状態が解除される。ロック解除操作もこのようにきわめて簡単である。
［効果８：ロックとロック解除の円滑性］
ロック溝の入り口側が広いものであるときは、自明のとおり、フラップ傾斜縁側をロック溝内に入れやすくなるので、既述のロック操作がより円滑に行えることとなる。また、一対の挟み片について、その一方または両方が撓みやすいものであるときも、既述のロック操作とロック解除操作が円滑に行えることとなる。
［効果９：製作（製造）の容易性］
フラップ傾斜縁は単純なプレス加工で形成することができる。ロック溝や一対の挟み片も単純なプレス加工で形成することができ、とくに一対の挟み片は、ロック溝を形成することで同時形成できるものである。しかも、フラップ傾斜縁・ロック溝・一対の挟み片などは、包装用箱の展開状物（包装用箱の前駆体）をプレス加工で作製するときに一挙に形成できるものであるから、上蓋閉鎖保持用のロック構造を具備する包装用箱といえども、製作工程数が増加したりすることがない。したがって、所要のロック機能を有する包装用箱を容易に製作することができる。
［効果１０：コストアップの抑制ないし防止］
既述のロック構造（ロック機能）を具備する包装用箱の場合、製作工程数を増加させたり、加工技術の難易度を高めたり、材料の増加や材料ロスをきたしたりすることがない。すなわち、コストアップを惹き起こすところの上記各要因がないので、目的とする包装用箱が低廉な価格で提供できるようになる。
【図面の簡単な説明】
【００１１】
【図１】本発明に係る厚紙製包装用箱の一実施形態について、上蓋閉鎖状態を示した平面図と蓋閉鎖状態を示した底面図である。
【図２】図１に例示された厚紙製包装用箱について、底蓋閉鎖状態を段階的に示した斜視図である。
【図３】図１に例示された厚紙製包装用箱について、上蓋閉鎖状態を段階的に示した斜視図である。
【図４】図１に例示された厚紙製包装用箱の展開図である。
【図５】本発明に係る厚紙製包装用箱の他実施形態について、上蓋閉鎖状態を段階的に示した平面図である。
【図６】本発明に係る厚紙製包装用箱について、部分的な変形例を示すものである。このうちで、図６（Ｉ）（II）はロック構造を有するフラップの平面図、図６（III）は図１（Ａ）のIII−III線に沿う断面図、図６（IV）は図５（Ｄ）のIV−IV線に沿う断面図である。
【発明を実施するための形態】
【００１２】
はじめに、本発明に係る厚紙製包装用箱の実施形態について図１〜図４に例示されたものを説明する。
【００１３】
図１〜図４に例示された包装用箱１１の場合、折り込み可能ないし折り畳み可能な厚紙たとえば周知の段ボール紙または周知の板紙（ボール紙）からなるものである。典型的一例として包装用箱１１は、ライナーと中芯原紙（波状板紙）とで構成された段ボール紙からなる。
【００１４】
図１〜図４を参照して明らかなとおり、厚紙製とした包装用箱１１の筒状胴体１２は四角形の角筒状からなる。したがって、この筒状胴体１２の上下両面にはそれぞれ四角形をした開口部１３・１４がある。
【００１５】
包装用箱１１の筒状胴体１２において、その上面開口部１３の周縁には、左右一対のフラップ１５Ａ・１５Ｂと前後一対のフラップ１５Ｃ・１５Ｄとが折り畳み自在に一体形成されており、その下面開口部１４の周縁には、左右一対のフラップ１６Ｅ・１６Ｆと前後一対のフラップ１６Ｇ・１６Ｈとが折り畳み自在に一体形成されている。
【００１６】
自明のとおり、包装用箱１１は箱の向きが変わることで、両フラップ１５Ｃ・１５Ｄが左右一対となったり、両フラップ１５Ａ・１５Ｂが前後一対となったりすることがある。したがって、包装用箱１１について上述した「前後一対」や「左右一対」は、限定的（固定的）なものでなく、各フラップ１５Ａ〜１５Ｄを区別していうときの便宜的表現にすぎない。
【００１７】
包装用箱１１において、左右一対の両フラップ１５Ａ・１５Ｂと前後一対の両フラップ１５Ｃ・１５Ｄは当該包装用箱１１の上蓋をなすものであり、かつ、左右一対の両フラップ１６Ｅ・１６Ｆと前後一対の両フラップ１６Ｇ・１６Ｈは当該包装用箱１１の底蓋をなすものである。
【００１８】
各フラップ１５Ａ〜１５Ｄにおいて、フラップ１５Ａはその一側部を押さえ部Ａ１、その他側部を被押さえ部Ａ２とするものである。同様に、フラップ１５Ｂもその一側部を押さえ部Ｂ１、その他側部を被押さえ部Ｂ２とし、かつ、フラップ１５Ｃもその一側部を押さえ部Ｃ１、その他側部を被押さえ部Ｃ２とする。さらに、フラップ１５Ｄもその一側部を押さえ部Ｄ１、その他側部を被押さえ部Ｄ２とする。
【００１９】
フラップ１５Ａの押さえ部Ａ１は傾斜状のフラップ側縁を有している。より具体的にいうと、フラップ基端部側からフラップ先端部側にわたり内向きに傾斜した傾斜縁１７を有している。フラップ１５Ｂの押さえ部Ｂ１や被押さえ部Ｂ２も、それぞれ、内向きに傾斜した同様の傾斜縁１８・１９を有している。また、フラップ１５Ｄの押さえ部Ｄ１にも、フラップ基端部側からフラップ先端部側にわたり内向きに傾斜した傾斜縁２０がある。
【００２０】
フラップ１５Ｃの詳細な構成はつぎのとおりである。フラップ１５Ｃの基本形状は長方形である。フラップ１５Ｃの被押さえ部Ｃ２は、線状・スリット状・細幅状などのうちから選択されたいずれかの形状からなるロック溝２１を有している。このロック溝２１は、フラップ１５Ｃにおける被押さえ部Ｃ２の領域において、フラップ先端部側からラップ基端部側に向けて切り込み形成されたものである。フラップ１５Ｃにおいて、ロック溝２１の端末側には、そのロック溝２１と交差状態で連通する補助的な切り込み線２１ａが形成されている。フラップ１５Ｃの被押さえ部Ｃ２には、ロック溝２１の両側に一対の挟み片２２・２３がみられる。この両挟み片２２・２３は、被押さえ部Ｃ２にロック溝２１を形成したことで生じたものである。両挟み片２２・２３の一方（２２）には、その先端部側の角部に丸みが付されている。これにともない、ロック溝２１の入口側には広幅の導入部２４が生じている。フラップ１５Ｃには、さらに、手先（指先）を掛けるための凹部２５がフラップ先端側の中央領域に形成されている。
【００２１】
上記における両フラップ１５Ａ・１５Ｃの相対関係はつぎのようなものである。すなわち、フラップ１５Ａの押さえ部Ａ１でフラップ１５Ｃの被押さえ部Ｃ２を押さえ込んでいるときのフラップ１５Ｃ側のロック溝２１は、フラップ１５Ａ側の傾斜縁１７を受け入れることができ、かつ、このときの両挟み片２２・２３は、ロック溝２１内のフラップ傾斜縁１７を挟み込むことができるものである。
【００２２】
上記における両フラップ１５Ｂ・１５Ｃには、特許文献１に開示されてたものと同様のロック構造も設けられている。すなわち、一方のフラップ１５Ｃには、ロック溝２６とその端末部に交差する補助的な切り込み線２７とが形成されており、他方のフラップ１５Ｂには、ロック溝２６と相対掛止自在に対応するロック片２８が突出形成されている。さらに、フラップ１５Ｃには、凹形の指掛け部２９も形成されている。
【００２３】
底蓋用の各フラップ１６Ｅ〜１６Ｈでは、筒状動体１２の下面開口部１４を覆い閉じるときの閉じ込み方式として、周知の「差し込み式」を採用する。この各フラップ１６Ｅ〜１６Ｈも、二つのフラップ１６Ｅ・１６Ｆが左右一対をなし他の二つのフラップ１６Ｇ・１６Ｈが前後一対をなす。けれども、各フラップ１６Ｅ〜１６Ｈの押さえ部や被押さえ部については、底蓋用フラップ１５Ａ〜１５Ｄのそれと態様が異なり以下のようになる。左右対称形をなす両フラップ１６Ｅ・１６Ｆの場合、その一側部を押さえ部Ｅ１・Ｆ１、その他側部を被押さえ部Ｅ２・Ｆ２とするものである。各押さえ部Ｅ１・Ｆ１のフラップ縁は、いずれも傾斜縁３０・３１となっており、各押さえ部Ｅ１・Ｆ１の先端部側には、角形の切欠部３２・３３が形成されている。また、両側部を押さえ部Ｇ１・Ｇ２とするほぼ台形状のフラップ１６Ｇは、その先端部側に差し込み片３４を有する。さらに、両側部を被押さえ部Ｈ１・Ｈ２とする長方形状のフラップ１６Ｈは、その先端部側の中央に指挿入用の小さな凹部３５を有するものである。
【００２４】
図１〜図３に例示された包装用箱１１の場合、図４の展開状物を筒状化したのち、それを扁平に折り畳んで収納しておく。一方、使用に際しては、扁平な包装用箱１１を取り出し、それを立体的な箱状に折り込んだり組み立てたりする。
【００２５】
包装用箱１１の筒状胴体１２は、図４から理解できるように、四つの胴壁面部１２Ｗ・１２Ｘ・１２Ｙ・１２Ｚを構成要素とするものである。そのうちで、胴壁面部１２Ｙの端縁部には連結片３６が一体形成されている。したがって、図４の展開状物の場合、胴壁面部１２Ｙの連結片３６を胴壁面部１２Ｙの端縁部内面に止着することで筒状化され、それにより包装用箱１１の筒状胴体１２が形成される。この筒状化を具体的にいうと、ステープル止め・テープ止め・接着剤止めなどのうちのいずれか一つ以上の止着手段で、連結片３６が胴壁面部１２Ｙの端縁部内面に止着される。
【００２６】
折り畳み状態にある包装用箱１１を包装可能な箱形の形態にするときは、第一段階において図２（Ａ）のように扁平な筒状胴体１２を角筒状に立体化した後、第二段階において図２（Ｂ）（Ｃ）のように筒状胴体１２の下面開口部１４を底蓋用の各フラップ１６Ｅ〜１６Ｈで覆い閉じる。第二段階の各操作は以下のようなものである。はじめは、後側のフラップ１６Ｈを折り込む。つぎに、左右両側のフラップ１６Ｅ・１６Ｆを折り込みつつ、その左右両側フラップ１６Ｅ・１６Ｆの押さえ部Ｅ１・Ｆ１で後側のフラップ１６Ｈの被押さえ部Ｈ１・Ｈ２を押さえ込む。この後は、前側のフラップ１６Ｇを折り込み、かつ、その前側フラップ１６Ｇの押さえ部Ｇ１・Ｇ２で左右両側フラップ１６Ｅ・１６Ｆの被押さえ部Ｅ２・Ｆ２を押さえ込みつつ、当該前側フラップ１６Ｇの差し込み片３４を後側フラップ１６Ｈ下に差し込む。
【００２７】
包装可能な箱形状態となった包装用箱１１内には、たとえば、野菜などの被包装物が詰め込まれる。この詰め込み後は、周知の「たとう式」にしたがい、筒状胴体１２の上面開口部１３が上蓋用の各フラップ１５Ａ〜１５Ｄで覆い閉じられる。それは図３を参照して以下のようなものである。
【００２８】
図３（Ａ）は筒状胴体１２の上面開口部１３が開放された状態を示すものである。この状態のときの上蓋用の各フラップ１５Ａ〜１５Ｄは、多くの場合、外向きに倒れていたり起立していたりする。上蓋用の各フラップ１５Ａ〜１５Ｄについては、一番目にフラップ１５Ｃ、二番目にフラップ１５Ａ、三番目にフラップ１５Ｄ、四番目にフラップ１５Ｂというように、各フラップが時計回り順に折り込まれる。図３（Ｂ）はフラップ１５Ｃが一番目に折り込まれ、かつ、フラップ１５Ａが二番目に折り込まれた状態を示している。この段階のときは、筒状胴体１２の上面開口部１３がほぼ半分閉じられ、フラップ１５Ｃの被押さえ部Ｃ２がフラップ１５Ａの押さえ部Ａ１で押さえ込まれている。図３（Ｃ）はフラップ１５Ｄが三番目に折り込まれた後、フラップ１５Ｂが四番目に折り込まれた状態を示している。この段階に至ると、筒状胴体１２の上面開口部１３は全面的に閉じられる。そしてフラップ１５Ａの被押さえ部Ａ２がフラップ１５Ｄの押さえ部Ｄ１で押さえ込まれたり、フラップ１５Ｄの被押さえ部Ｄ２がフラップ１５Ｂの押さえ部Ｂ１で押さえ込まれたりするほか、フラップ１５Ｂの被押さえ部Ｂ２がフラップ１５Ｃの押さえ部Ｃ１で押さえ込まれたりする。このときの両フラップ１５Ｂ・１５Ｃについては、押さえ部Ｃ１を上向きに撓ませたり被押さえ部Ｂ２を下向きに撓ませたりしながら、被押さえ部Ｂ２を押さえ部Ｃ１下へくぐらせる。このくぐらせる際、フラップ１５Ｂのロック片２８とフラップ１５Ｃのロック溝２６とを相対掛止させるのである。図３（Ｃ）の段階では、さらに、フラップ１５Ｂ側の傾斜縁１７をフラップ１５Ｃのロック溝２１内に嵌め込むことで、その傾斜縁１７をフラップ１５Ｃの両挟み片２２・２３で挟み込み、これによって両フラップ１５Ａ・１５Ｃをロック状態にする。かかるロック操作としては、両挟み片２２・２３がフラップ１５Ａの押さえ部Ａ１下にある状態においてフラップ１５Ｃの先端部側を若干持ち上げる。すなわち、一方の挟み片２２のみを撓み変形させながら当該挟み片２２を傾斜縁１７上に乗り上がらせるのである。かくて傾斜縁１７は、その上位の挟み片２２とその下位の挟み片２３との間に挟まれた状態になるので、両フラップ１５Ａ・１５Ｃが相対的なロック状態となる。
【００２９】
上蓋閉鎖状態がロックされた上記包装用箱１１の場合、各フラップ１５Ａ〜１５Ｄが不本意に開放される事態が起こりがたいだけでなく、そのロック効果によって箱が全体的にしっかりした立体構造物になる。よって、蓋閉鎖状態がロックされた上記包装用箱１１の場合、被包装物に対する保護機能も高まることとなる。
【００３０】
つぎに、包装用箱１１に関する他の実施形態について、図５を参照して説明する。
【００３１】
図５に例示された包装用箱１１の場合、基本構成は図１〜図４の前例で示されたものと共通するが、一部の構成ないし事項に関しては前例と異なる。その相違点の一つは、筒状胴体１２の上面開口部１３を覆い閉じるときの上蓋用フラップ１５Ａ〜１５Ｄが、反時計回り方向の順に閉じられることである。他の一つは、各フラップ１５Ａ〜１５Ｄの両側部にある押さえ部Ａ１・Ｂ１・Ｃ１・Ｄ１と被押さえ部Ａ２・Ｂ２・Ｃ２・Ｄ２が、前例との比較で逆位になっていることである。このほか、上蓋用の各フラップについても、一部フラップの形状ないし構造が前例と相違する。たとえば、フラップ１５Ｂの場合、ロック片２８や指掛け部２９が省略されている。また、フラップ１５Ｂの場合、フラップ一側端縁は傾斜縁となっているが、フラップ他側端縁は傾斜していない。フラップ１５Ｃの場合も、ロック溝２６や切り込み線２７が省略されていて、フラップ一側端縁は傾斜縁となっている。一方で、図５における底蓋用フラップ１６Ｅ〜１６Ｈの場合、フラップ用のロック構造はないが、その形状構造は、この図５における上蓋用フラップ１５Ａ〜１５Ｄに準じたものとなっている。
【００３２】
図５においても、筒状胴体１２の下面開口部１４が底蓋用の各フラップ１６Ｅ〜１６Ｈで閉鎖され、かつ、筒状胴体１２の上面開口部１３が開放されている包装用箱１１内に野菜などの被包装物を詰め込む。被包装物詰め込み後の包装用箱１１については、筒状胴体１２の上面開口部１３を上蓋用の各フラップ１５Ａ〜１５Ｄで覆い閉じる。すなわち、各上蓋用フラップ中の任意一つを折り込みの第一番目に選定し、図５（Ａ）〜図５（Ｄ）のごとく各フラップ１５Ａ〜１５Ｄを反時計回り方向順に筒状胴体１２の上面開口部１３側へ折り込んでいくものである。これに際しては「たとう式」にしたがい、フラップ１５Ａの被押さえ部Ａ２をフラップ１５Ｃの押さえ部Ｃ１でさえ込み、フラップ１５Ｃの被押さえ部Ｃ２をフラップ１５Ｂの押さえ部Ｂ１で押さえ込み、かつ、フラップ１５Ｂの被押さえ部Ｂ２をフラップ１５Ｄの押さえ部Ｄ１で押さえ込み、さらに、フラップ１５Ｄの被押さえ部Ｄ２をフラップ１５Ａの押さえ部Ａ１押さえ込む。この後、フラップ１５Ｂ側の傾斜縁１７をフラップ１５Ｃのロック溝２１内に嵌め込むことで、その傾斜縁１７をフラップ１５Ｃの両挟み片２２・２３で挟み込み、これによって、両フラップ１５Ａ・１５Ｃをロック状態にする。このロック操作のときは、両挟み片２２・２３がフラップ１５Ａの押さえ部Ａ１上にある状態において、フラップ１５Ｃの先端部側を若干押し下げる。すなわち、一方の挟み片２２のみを撓み変形させながら当該挟み片２２を傾斜縁１７下にくぐらせる。かくて傾斜縁１７は、その下位の挟み片２２とその上位の挟み片２３との間に挟まれた状態になるので、両フラップ１５Ａ・１５Ｃが相対的なロック状態となる。
【００３３】
上述した包装用箱１１の部分的な変形例について、図６（Ｉ）〜（IV）を参照して以下に説明する。
【００３４】
傾斜縁１７・ロック溝２１・一対の挟み片２２・２３などを主体にした上蓋用のロック構造については、直角に交差するフラップ相互であれば、両フラップ１５Ａ・１５Ｃ以外のフラップにも設けることができる。ちなみに図６（Ｉ）の場合、傾斜縁１７・ロック溝２１・一対の挟み片２２・２３を主体にしたロック構造が、両フラップ１５Ｂ・１５Ｃに設けられている。この場合の二つのフラップはフラップ１５Ｂとフラップ１５Ｄや、図６（II）のごとく、フラップ１５Ａとフラップ１５Ｄであってもよい。この上蓋用ロック構造は、また、両フラップ１５Ａ・１５Ｃ、両フラップ１５Ａ・１５Ｄ、１５Ｂ・１５Ｄ、１５Ａ・１５Ｄなどすべてに設けられてもよいし、また、そのうちの二組の両フラップに当該上蓋用ロック構造が設けられてもよいものである。したがって、包装用箱１１については、複数の上蓋用ロック構造を具備する例もある。一方、ロック溝２６とロック片２８とを主体にしたロック構造については、これが傾斜縁１７・ロック溝２１・一対の挟み片２２・２３を主体にしたロック構造に変更されたり省略されたりすることがある。
【００３５】
傾斜縁１７・ロック溝２１・一対の挟み片２２・２３を主体にした上蓋用ロック構造の場合、傾斜縁１７がロック溝２１内に嵌まり込んで両挟み片２２・２３により挟まれたとき、フラップ１５Ａの傾斜縁１７側と両挟み片２２・２３とが上下に重なり、その重なり合う部分が分厚くなる。これを解消するために、図６（III）（IV）に例示するような手段が講じられる。その一つは、挟み片２２および／または２３がその先端部側へ向かうにしたがい次第に薄くなるような形状に加圧成形されることである。他の一つは、フラップ１５Ａの面について、挟み片２２および／または２３の重なる部位の面が加圧成形されて凹んでいることである。このようにすることで、既述の分厚さがかなり解消されることとなり、また、挟み片２２・２３も撓みやすくなる。
【００３６】
底蓋用の各フラップ１６Ｅ〜１６Ｈについては、長方形のもの、一側縁または両側縁に傾斜縁１７を有する台形のものなど、適当な形状のものを自由に採用することができる。再開閉を要しない底蓋用の各フラップ１６Ｅ〜１６Ｈの場合、ステープル・テープ・接着剤などで底蓋閉鎖状態が固定されることもある。
【産業上の利用可能性】
【００３７】
本発明に係る厚紙製包装用箱は、上蓋閉鎖状態をロックするための手段を具備する。その手段は、材料増加の抑制・製造の簡易化・コストアップの抑制・構造の複雑化回避などを満足させるのみならず、強度特性の向上させたり、包装機能を充実させたりするものである。したがって、本発明に係る厚紙製包装用箱は産業上の利用可能性が十分にある。
【符号の説明】
【００３８】
１１      包装用箱
１２      筒状胴体
１２Ｗ    胴壁面部
１２Ｘ    胴壁面部
１２Ｙ    胴壁面部
１２Ｚ    胴壁面部
１３      上面開口部
１４      下面開口部
１５Ａ    上蓋用のフラップ
Ａ１      押さえ部
Ａ２      被押さえ部
１５Ｂ    上蓋用のフラップ
Ｂ１      押さえ部
Ｂ２      被押さえ部
１５Ｃ    上蓋用のフラップ
Ｃ１      押さえ部
Ｃ２      被押さえ部
１５Ｄ    上蓋用のフラップ
Ｄ１      押さえ部
Ｄ２      被押さえ部
１６Ｅ    底蓋用のフラップ
Ｅ１      押さえ部
Ｅ２      被押さえ部
１６Ｆ    底蓋用のフラップ
Ｆ１      押さえ部
Ｆ２      被押さえ部
１６Ｇ    底蓋用のフラップ
Ｇ１      押さえ部
Ｇ２      押さえ部
１６Ｈ    底蓋用のフラップ
Ｈ１      被押さえ部
Ｈ２      被押さえ部
１７      傾斜縁
１８      傾斜縁
１９      傾斜縁
２０      傾斜縁
２１      ロック溝
２２      挟み片
２３      挟み片
２４      導入部
２５      凹部
２６      ロック溝
２７      切り込み線
２８      ロック片
２９      指掛け部
３０      傾斜縁
３１      傾斜縁
３２      切欠部
３３      切欠部
３４      差し込み片
３５      凹部
３６      連結片
【図１】
2019001488.tif 000003
【図２】
2019001488.tif 000004
【図３】
2019001488.tif 000005
【図４】
2019001488.tif 000006
【図５】
2019001488.tif 000007
【図６】
2019001488.tif 000008